(57)【要約】【課題】  セキュリティ性を向上させたシリンダー錠を提供する。【解決手段】  シリンダー錠は、外筒と、前記外筒の内側に前記外筒に対して回動可能に配設された内筒と、前記内筒の少なくとも一方向の回動を規制する規制位置と、前記内筒の回動を許容する許容位置との間を移動可能な閂部材と、前記閂部材は、第一の閂部材と第二の閂部材によって構成され、前記第一の閂部材は、鍵の挿入に伴って第一の方向に押圧され、前記規制位置から前記許容位置に移動可能なピン形状の第一のタンブラであり、前記第二の閂部材は、前記鍵の挿入に伴って第二の方向に押圧される第二のタンブラに係合され、該第二のタンブラの移動によって前記規制位置から前記許容位置に移動可能な板形状の部材であり、前記第一の閂部材と前記第二の閂部材が前記許容位置に移動することで前記内筒の回動が許容される。【選択図】図２
2016044438.tif 000002
【特許請求の範囲】
【請求項１】
外筒と、
前記外筒の内側に前記外筒に対して回動可能に配設された内筒と、
前記内筒の少なくとも一方向の回動を規制する規制位置と、前記内筒の回動を許容する許容位置との間を移動可能な閂部材と、
前記閂部材は、第一の閂部材と第二の閂部材によって構成され、
前記第一の閂部材は、鍵の挿入に伴って第一の方向に押圧され、前記規制位置から前記許容位置に移動可能なピン形状の第一のタンブラであり、
前記第二の閂部材は、前記鍵の挿入に伴って第二の方向に押圧される第二のタンブラに係合され、該第二のタンブラの移動によって前記規制位置から前記許容位置に移動可能な板形状の部材であり、
前記第一の閂部材と前記第二の閂部材が前記許容位置に移動することで前記内筒の回動が許容される、
ことを特徴とするシリンダー錠。
【請求項２】
少なくとも前記第一のタンブラは複数配置され、
前記第一のタンブラと前記第二のタンブラとを前記内筒の軸方向に沿って交互に配置する、
ことを特徴とする請求項１に記載のシリンダー錠。
【請求項３】
前記軸方向において隣り合う２つの前記第一のタンブラの間に前記第二のタンブラの可動領域が確保される、
ことを特徴とする請求項２に記載のシリンダー錠。
【請求項４】
前記第二のタンブラはスライド移動するものであり、
前記第一のタンブラと前記第二のタンブラとは、前記第一のタンブラの移動経路と前記第二のタンブラの移動経路とが所定角度をなすように配置される、
ことを特徴とする請求項１乃至３のいずれかに記載のシリンダー錠。
【請求項５】
前記第一のタンブラは、鍵の第一の面と当接することにより移動し、前記第二のタンブラは前記鍵の第二の面と当接することにより移動する、
ことを特徴とする請求項１乃至４のいずれかに記載のシリンダー錠。
【請求項６】
請求項１乃至５のいずれかに記載の２つのシリンダー錠と、
前記シリンダー錠の軸を中心として回動するカムを備え、
前記２つのシリンダー錠のそれぞれの端部を対向配置し、該端部に前記カムを連結したことを特徴とするシリンダー錠。
【発明の詳細な説明】
【技術分野】
【０００１】
本発明は、シリンダー錠に係り、サイズを大型化することなくセキュリティ性を高めることができるシリンダー錠に関する。
【背景技術】
【０００２】
従来より、ピンタンブラとドライバピンの境界（シャーライン）を内筒と外筒の間（境界）に一致させて内筒を回動可能とするピンタンブラ方式のシリンダー錠が知られている（例えば、特許文献１参照）。
【先行技術文献】
【特許文献】
【０００３】
【特許文献１】特許第５５４４５４２号公報
【発明の概要】
【発明が解決しようとする課題】
【０００４】
しかしながら、ピンタンブラ方式のシリンダー錠において更なるセキュリティ性を向上させるには、より多くのピンタンブラおよびドライバピンを組み込む必要があり、シリンダー錠の軸方向のサイズが大きくなってしまう問題がある。
【０００５】
本発明は、このような従来の問題点を解決するためになされたものであって、サイズを大型化することなくセキュリティ性を高めることができるシリンダー錠を提供することを目的とする。
【課題を解決するための手段】
【０００６】
本発明に係るシリンダー錠は、外筒と、前記外筒の内側に前記外筒に対して回動可能に配設された内筒と、前記内筒の少なくとも一方向の回動を規制する規制位置と、前記内筒の回動を許容する許容位置との間を移動可能な閂部材と、前記閂部材は、第一の閂部材と第二の閂部材によって構成され、前記第一の閂部材は、鍵の挿入に伴って第一の方向に押圧され、前記規制位置から前記許容位置に移動可能なピン形状の第一のタンブラであり、前記第二の閂部材は、前記鍵の挿入に伴って第二の方向に押圧される第二のタンブラに係合され、該第二のタンブラの移動によって前記規制位置から前記許容位置に移動可能な板形状の部材であり、前記第一の閂部材と前記第二の閂部材が前記許容位置に移動することで前記内筒の回動が許容される、ことを特徴とするシリンダー錠である。
【発明の効果】
【０００７】
本発明に係るシリンダー錠によれば、サイズを大型化することなくセキュリティ性を高めることができるシリンダー錠を提供することができる。
【０００８】
具体的には、ピンタンブラ方式と、タンブラによりサイドバーを移動する方式の複合型のシリンダー錠であるため、施解錠動作を複雑化することができる。つまりピッキングなどの不正解錠が困難となり、セキュリティ性を高めることができる。
【０００９】
また、第１のタンブラと第２のタンブラとをシリンダー錠の軸方向において交互に配置するため、より施解除動作が複雑となり、ピッキングを困難にすることができる。またキーの溝も、キーの表面（第１のタンブラ用）と側面（第２のタンブラ用）に形成する必要があるため、単一の装置では形成できず、キーの複製を困難にすることができる。結果として、セキュリティ性を高めることができる。
【００１０】
また、隣り合う第１のタンブラの間（内筒のピンタンブラ用挿入孔の間）に第２のタンブラの可動領域を確保するため、第１のタンブラと第２のタンブラを交互に配置する構成であっても、シリンダー錠の軸方向の大型化を回避できる。
【００１１】
また、第１のタンブラと第２のタンブラは、それぞれの移動経路でなす角が所定の角度（例えば、９０度）となるように（移動方向が直交するように）配置されるため、形状の異なる第１のタンブラと第２のタンブラを交互に配置する構成であっても、シリンダー錠の径方向の大型化を回避でき、また多数のタンブラを組み込むことができる。これによりピッキングを困難にすることができ、セキュリティ性を向上させることができる。
【００１２】
また、シリンダー錠単体の大型化を回避できるため、２つのシリンダー錠の端部同志を結合し、室内側と室外側の両側からキーによる施解錠を行うシリンダー錠であっても、シリンダー錠全体の大型化を回避しつつ、セキュリティ性を向上させることができる。
【図面の簡単な説明】
【００１３】
【図１】本発明の実施形態に係るシリンダー錠を示す図であり、（ａ）前方上側から見た外観斜視図、（ｂ）断面図、である。
【図２】本実施形態に係るシリンダー錠の一部を分解して示す分解斜視図である。
【図３】本実施形態に係るシリンダー錠に用いる鍵を示す図であり、（ａ）上面図、（ｂ）背面図、（ｃ）背面側から見た外観斜視図、である。
【図４】本実施形態に係るシリンダー錠に用いる鍵を示す図であり、（ａ）上面の外観斜視図、（ｂ）背面から見た分解斜視図、（ｃ）図４（ａ）のＡ−Ａ線断面図、である。
【図５】本実施形態に係るシリンダー錠のフローティング部を説明する断面図である。
【図６】本実施形態に係るシリンダー錠の施錠状態を示す断面図である。
【図７】本実施形態に係るシリンダー錠の解錠状態を示す断面図である。
【図８】本実施形態に係るシリンダー錠の解錠状態を示す一部透過斜視図である。
【図９】本施形態に係るシリンダー錠の一部を抜き出して示す斜視図である。
【図１０】本実施形態に係るシリンダー錠を説明する断面図である。
【発明を実施するための形態】
【００１４】
以下、図面を用いて、本実施形態に係るシリンダー錠１００について詳細に説明する。
【００１５】
＜全体構成＞
【００１６】
図１および図２を用いて、シリンダー錠１００の全体構成について説明する。図１は組み立てた状態のシリンダー錠１００を示す図であり、図１（ａ）は、シリンダー錠１００を前方上側から見た外観斜視図であり、図１（ｂ）はシリンダー錠１００の内部を透過して示す側面図である。また、図２は、シリンダー錠１００の分解斜視図である。なお、以降の説明で用いる図面においては、説明の都合上、構成部材の図示を一部省略することがある。
【００１７】
図１に示すように、本実施形態に係るシリンダー錠１０は、第１シリンダー錠１０Ａ、第２シリンダー錠１０Ｂをその長軸方向に直列に配列したものである。具体的には、第１シリンダー錠１０Ａは、長軸方向の第１の端部Ｔ１の鍵穴２２が例えば室外側に露出し、第２シリンダー錠１０Ｂは長軸方向の第１の端部Ｔ１の鍵穴２２部分が例えば室内側に露出するように、互いの第２の端部Ｔ２（内奥端部）を対向させて配置される。なお、第１シリンダー錠１０Ａと第２シリンダー錠１０Ｂの構成は同様であるので、以下の説明において両者を区別する必要がない場合には、シリンダー錠１０と総称する。
【００１８】
シリンダー錠１０は、外筒１と、外筒１に対して相対回転可能な内筒２と、内筒２の少なくとも一方向の回動を規制する規制位置と、内筒２の回動を許容する許容位置との間を移動可能な閂部材とを有する。外筒１は、内筒２を挿入可能な中空の内筒収容部１ａを有し、内筒収容部１ａの下部には後述するサイドバー３５の一部を収容可能なロック部係合溝１ｂが外筒１の軸方向に沿って形成されている。また、内筒２は、鍵穴２２と、鍵穴２２の下方の内筒２の外周面に設けられてサイドバー３５の一部を収容可能なサイドバー挿通孔１３５を有している。
【００１９】
閂部材は、第１の閂部材と第２の閂部材によって構成され、第１の閂部材は、鍵の挿入に伴って第１の方向に押圧され、規制位置から許容位置に移動可能なピン形状の第１のタンブラで１１ある。また、第２の閂部材は、鍵の挿入に伴って第２の方向に押圧される第２のタンブラ１２に係合され、第２のタンブラ１２の移動によって規制位置から許容位置に移動可能な板形状または棒形状の部材（サイドバー３５）である。そして、シリンダー錠１０は、第１の閂部材と第２の閂部材が許容位置に移動することで内筒２の回動が許容される。
【００２０】
具体的には、第１のタンブラ１１は、シリンダー錠１０の軸方向に沿って複数配列されるピンタンブラ６、６'７である。ピンタンブラ６は複数（ここでは一例として５個）設けられ、それぞれドライバピン９に連結する。ピンタンブラ６'はドライバピン９に連結し、ピンタンブラ７はドライバピン２８に連結する。ピンタンブラ６'およびピンタンブラ７はピンタンブラ６と同様の構成であって同様に動作するが、ピンタンブラ６'は特にコンストラクション機能にも用いられるピンタンブラであり、ピンタンブラ７はフローティング部としても動作するピンタンブラ７である（詳細は後述する）。ピンタンブラ６'およびこれに連結するドライバピン９や、ピンタンブラ７およびドライバピン２８の構成や動作について、ピンタンブラ６およびドライバピン９と同様の場合には、これらについての説明を省略する場合がある。
【００２１】
また、第２のタンブラ１２は、第１のタンブラ１１（特に、ピンタンブラ６）の下方に配置される複数のタンブラであり、本実施形態では円周面に突起部１２ａを備えた円柱形状のタンブラである。第２のタンブラ１２は突起部１２ａに、内筒２と係合するサイドバー３５の一部を係合させてこれを移動する。このように本実施形態のシリンダー錠１０は、ピンタンブラ方式とサイドバーを移動させるタンブラ方式を組み合わせた複合型のシリンダー錠といえる。
【００２２】
内筒２と外筒１は、これらの径方向に連続する第１のタンブラ１１用の挿通孔１３２が複数形成されている。そして、各挿通孔１３２には、径方向の内側から外側の順に、ピンタンブラ６（ピンタンブラ６'７）、ドライバピン９（ドライバピン２８）、ピンタンブラ用コイルスプリング１４，ピンタンブラ用コイルスプリング１４を押さえるボール１８が嵌め込まれている。ピンタンブラ６とドライバピン９は、ピンタンブラ用コイルスプリング１４の復元力によって、径方向の内側に常時押されている。また、ピンタンブラ６とドライバピン９は、鍵穴２２に鍵が挿入された場合、その鍵２００によって、径方向の外側に押し返される。
【００２３】
鍵穴２２に鍵２００が挿入されていない場合、径方向の内側に押されているドライバピン９が、内筒２から外筒１にわたって位置し、内筒２が回動することの障害になる。なお、この場合、ピンタンブラ６は、内筒２内に収まっている。
【００２４】
図２に示すように、内筒２にはその円周方向に沿って挿通孔１３２から所定角度（例えば９０度）離れた位置に、第２のタンブラ１２用の挿通孔１３３が複数形成されている。
【００２５】
第２のタンブラ１２は、ここでは円柱状の軸方向にスライド移動するタンブラであり、第２のタンブラ１２もシリンダー錠１０の軸方向に沿って複数配置される。第２のタンブラ１２は、その長手方向（軸方向）がシリンダー錠１０の軸に直交し、且つ第２のタンブラ１２の移動（可動）経路（第２のタンブラの軸）が、第１のタンブラ１１（ピンタンブラ６、６'、７）の移動（可動）経路（第１のタンブラ１１の軸）とも直交するように（互いの移動経路（互いの軸）が略９０度の角度をなすように）配置される。すなわち、複数の第２のタンブラ１２は鍵穴２２に対して水平に配列される。
【００２６】
第２のタンブラ１２の内筒２外周側の端部には第２のタンブラ用のコイルスプリング１５が配置され、これにより、第２のタンブラ１２は内筒２の中心方向に向かって常時付勢されている。第２のタンブラ１２は、長手方向の端部に上方（内筒２の中心方向）に突出する突起部１２ａを有し、また下方（内筒２の外周方向）に係合溝１２ｂを有している。第２のタンブラ１２の長さと突起部１２ａが設けられる位置は、複数の第２のタンブラ１２間で共通であるが、係合溝１２ｂの形成位置は異なっている。係合溝１２ｂには、第２のタンブラ１２の下方に設けられたサイドバー３５の係合部３５ａが係合する。
【００２７】
サイドバー３５は、内筒２の軸方向に沿って延在する棒状（または板状）の部材であり、上方（内筒２の中心方向）に係合部３５ａが設けられ、下方（内筒２の外周方向）にロック部３５ｂが設けられている。後に詳述するが、サイドバー３５の一部は、内筒２のサイドバー挿通孔１３５を貫通し、その上部に設けられた係合部３５ａが第２のタンブラ１２の係合溝１２ｂと係合可能となっており、下部に設けられたロック部３５ｂは外筒１の内周に設けられたロック部係合溝（ここでは不図示）と係合可能である。そしてロック部３５ｂがロック部係合溝と係合した場合には、内筒２と外筒１の間にサイドバー３５が跨がることとなり、これにより内筒２の回動が規制される。
【００２８】
サイドバー３５は、長手方向の両端がサイドバー用のコイルスプリング１６で常時、内筒２の中心方向から外周方向に向かって付勢されており、複数の第２のタンブラ１２に設けられた係合溝１２ｂに係合部３５ａが係合することで、ロック部３５ｂがロック部係合溝から後退する。
【００２９】
そして、適正な鍵２００を鍵穴２２に挿入すると、第１のタンブラ１１とドライバピン９、２８の境界（シャーライン）が内筒２と外筒１の境界に一致し、また同時に第２のタンブラ１２の係合溝１２ｂが内筒２の軸方向に揃う。これにより内筒２が回動可能状態となり、内筒２を僅かに回動させるとサイドバー３５が内筒２の内側に押され、係合溝１２ｂにサイドバー３５の係合部３５ａが係合する。これによりロック部３５ｂがロック部係合溝から後退し、内筒２が外筒１に対して回動可能となる。
【００３０】
つまり本実施形態のシリンダー錠１０は、第１の閂部材である第１のピンタンブラ１１を許容位置に移動させるとともに、第２の閂部材であるサイドバー３５を第２のタンブラ１２によって許容位置に移動させることで、内筒２の回動が許容される。
【００３１】
このように、タンブラの移動方向が異なる複数の方式のタンブラを備えることにより、ピッキングを困難にすることができる。またキーの溝も、キーの表面（第１のタンブラ用）と側面（第２のタンブラ用）に形成する必要があるため、単一の装置では形成できず、キーの複製を困難にすることができる。
【００３２】
また、第２のタンブラ１２がサイドバー３５を移動させることで、間接的に外筒１に対する内筒２の回動が許容または規制されるため、タンブラ（例えばディスクタンブラ）によって、直接的に内筒２と外筒１を係合または係合の解除を行う構成と比較して、ピッキングなどの不正解錠を抑制することができる。
【００３３】
また、図１（ｂ）に示すように、第１のタンブラ１１（ピンタンブラ６）と、第２のタンブラ１２とは内筒２の軸方向に沿って交互に配置される。より詳細には、複数のピンタンブラ６は、その動作に必要最小限の距離を確保して隣り合って一列に配列され、ピンタンブラ６の下方の隙間に第２のタンブラ１２の可動領域が確保される。円柱状の第２のタンブラ１２の本体１２ｃはピンタンブラ６より下方でこれらの間に位置し、突起部１２ａが隣り合って配置される先細り形状のピンタンブラ６の先端部分に挟まれるように配置される。複数のピンタンブラ６同士の離間距離は、例えば従来のピンタンブラ方式のシリンダー錠のピンタンブラ同士の離間距離と同等である。
【００３４】
このように本実施形態では、シリンダー錠１０の長手方向の長さを大きくすることなく（従来の、ピンタンブラ方式のみのシリンダー錠と同程度のサイズを維持して）第１のタンブラ１１（ピンタンブラ６）の間にこれらと交互に第２のタンブラ１２を配置している。これにより、第１のタンブラ１１と第２のタンブラ１２の複合型であってもシリンダー錠１０のサイズ（長手方向のサイズ）の拡大を抑えることができる。
【００３５】
また、第２のタンブラ１２の形状が円筒形状であるので、内筒２の第２のタンブラ１２用の挿通孔１３３を側面視で円形（円柱状の孔）にすることができる。これにより、特に内筒２に対して例えばドリルの切削加工で挿通孔１３３を形成する場合には、側面視で矩形状の挿通孔（ディスクタンブラが挿抜される直方体形状の孔）を形成する場合と比較して、容易に形成することができる。
【００３６】
また、シリンダー錠１０は第２の端部Ｔ２（内奥端部）付近にフローティング部Ｆを有している。フローティング部Ｆの詳細は後述するが、フローティング部Ｆにもピンタンブラ用の挿通孔１３２が形成され、内筒２の径方向の内側から外側の順に、フローティング部用のピンタンブラ７、フローティング部用のドライバピン２８、ピンタンブラ用のコイルスプリング１４，コイルスプリング１４を押さえるボール１８が嵌め込まれている。ピンタンブラ７とドライバピン２８は、コイルスプリング１４の復元力によって、径方向の内側に常時押されている。また、ピンタンブラ７とドライバピン２８は、鍵穴２２に鍵２００が挿入された場合、その鍵２００の上面によって径方向の外側に押し返される。
【００３７】
更に、ピンタンブラ７と対向して、背面側のピンタンブラ８とピンタンブラ８用のコイルスプリング１７が設けられ、コイルスプリング１７の下方には埋め込みリベット１３が設けられる。背面側のピンタンブラ８はコイルスプリング１７の復元力によって、径方向の内側に常時押されている。背面側のピンタンブラ８は、鍵穴２２に鍵２００が挿入された場合、その鍵２００によって径方向の外側に押し返される。
【００３８】
また本実施形態に係るシリンダー錠１０は、コンストラクション機能の作動状態から、コンストラクション機能の解除状態に切り替え可能なコンストラクション機能を備えたシリンダー錠１０である。コンストラクション機能とは、コンストラクションキー（以下、「コンスキー」と称する。）の有効と無効とを切り替え可能な機能であり、当該機能の作動中はコンストラクションキーが有効となり、当該機能が解除後はコンストラクションキーが無効になる。コンスキーは、建設物の工事中においてコンストラクション機能が作動している場合に、シリンダー錠１０を施解錠するキーであり、子鍵は、工事完了後にコンス機能を解除する場合に使用するキーであって、コンストラクション機能を解除後にはシリンダー錠１０を施解錠するキーとなる。
【００３９】
具体的には、フローティング部Ｆに隣接する最奥部の第１のピンタンブラ１１は、コンストラクション用のピンタンブラ６'となっており、ピンタンブラ６とドライバピン９の間にコンストラクション用の補助ピンとなるボール１９が挿入されている点で、他のピンタンブラ６と異なっている。コンストラクション機能の詳細については後述する。
【００４０】
図３および図４を参照してシリンダー錠１０に用いる鍵２００について説明する。図３は鍵２００の全体構成を示す図であり、図３（ａ）が上面図、同図（ｂ）が背面図、同図（ｃ）が背面側からみた斜視図である。また、図４（ａ）が上面側から見た斜視図、同図（ｂ）が背面側から見た分解斜視図、同図（ｃ）、（ｄ）が同図（ａ）のＡ−Ａ線断面図である。
【００４１】
鍵２００の第１の面Ｓ１には複数のピンタンブラ６、６'に対応し、キーコードに応じて直径及び深さの異なる複数のディンプル状のキー溝２０１、２０３が設けられる。鍵２００が鍵穴２２に挿入されると各キー溝２０１に対応するピンタンブラ６がキー溝２０１に没入する。キー溝２０３は、コンストラクション機能用のキー溝であり、コンストラクションキーと子鍵とではその溝深さが異なっている。
【００４２】
また、鍵２００の先端付近には、第１の面Ｓ１からこれと対向する面Ｓ３まで貫通するボール孔２０２が設けられる。ボール孔２０２はシリンダー錠１０のフローティング部Ｆのピンタンブラ７，８に対応する位置に設けられる。
【００４３】
鍵２００の第２の面Ｓ２（第１の面Ｓ１に対する側面）には、複数の第２のタンブラ１２に対応し、キーコードに応じて深さの異なる複数のキー溝２０４が設けられる。鍵２００が鍵穴２２に挿入されると各キー溝２０４に第２のタンブラ１２の突起部１２ａが係合する。
【００４４】
なお、鍵２００の第１の面Ｓ１に対向する面（第３の面Ｓ３）にはダミーのキー溝２０５が設けられている。
【００４５】
また図４に示すように、ボール孔２０２は、その内部にフローティング部用のボール２４とボールストッパ２３が挿入されている。既述の如くボール孔２０２は、鍵２００の第１の面Ｓ１からこれと対向する第３の面Ｓ３に達する円筒状の貫通孔であり、貫通孔のサイズ（直径）はその内部でボール２４が移動可能な程度に、ボール２４の直径よりも僅かに大きいサイズである。そしてボール孔２０２の背面（第３の面Ｓ３）側に挿入されているボールストッパ２３はリング状であり、鍵２００の背面側においてボール孔２０２の開口部分に係止される。ボールストッパ２３は、同図（ｃ）に示すようにボール２４のボール孔２０２からの離脱を防止するとともに、ボール２４の外周面の一部がボールストッパ２３の内周の空間から露出可能となるように構成されている。
【００４６】
また、ボール孔２０２の上面（第１の面Ｓ１）側の内壁には、ボール孔２０２の径が開口部に向かって小さくなるように内壁を内側に突出（傾斜）させた基準面２０２Ｓが設けられる。同図（ｃ）、（ｄ）に示すようにボール２４は、ボール孔２０２内部を移動自在であるが、同図（ｄ）に示すように上面（第１の面Ｓ１）側に移動した際にはボール２４の外周面の一部が基準面２０２Ｓと当接し、ボール孔２０２からの離脱が規制されるとともに、ボール２４の一部が鍵２００の上面側から突出する。
【００４７】
＜フローティング部＞
【００４８】
次に、フローティング部Ｆについて説明する。図５は、鍵２００を挿入したフローティング部Ｆの第２の端部Ｔ２側から見た断面概略図である。
【００４９】
適正な鍵２００を鍵穴２２に挿入すると、上面（第１の面Ｓ１）側においてピンタンブラ７の先端がボール２４と当接し、背面側（第３の面Ｓ３）側において背面側のピンタンブラ８の先端がボール２４と当接する。このとき、例えば、背面側のピンタンブラ８を付勢するコイルスプリング１７の復元力は、ピンタンブラ７を付勢するコイルスプリング１４の復元力より大きく設定されており、ボール２４は上側に押されて基準面２０２Ｓに当接した状態となる。
【００５０】
そしてこの状態で、ピンタンブラ７とドライバピン２８の境界（シャーライン）が、内筒２と外筒１の間（境界）に位置する。つまり、適正な鍵２００では、ボール２４が基準面２０２Ｓに当接した場合に、ピンタンブラ７とドライバピン２８のシャーラインが内筒２と外筒１の間（境界）に位置するように、ボール２４の直径と基準面２０２Ｓの位置及び形状が設定されている。
【００５１】
このとき、他のピンタンブラ６とドライバピン９のシャーラインも、内筒２と外筒１の間に位置し、また第２のタンブラ１２の係合溝１２ｂが内筒２の軸方向に一列に揃い、内筒２の回転に合わせてサイドバー３５が内筒２の内部に収容されてサイドバー３５の係合部３５ａが係合することでロック部３５ｂが内筒２の内側に待避するため、内筒２は外筒１に対して回動可能となる。
【００５２】
一方、適正でない鍵では、基準面２０２Ｓの位置、形状やボール２４の直径が異なるため、ピンタンブラ７とドライバピン２８のシャーラインが内筒２と外筒１の間に位置せず、内筒２の回動が規制される。なお、適正でない鍵では、他のピンタンブラ６とドライバピン９のシャーラインも一致せず、第２のタンブラ１２の係合溝１１ｂが内筒２の軸方向に一列に揃わない。
【００５３】
このように、シリンダー錠１０は、フローティング部Ｆによってより不正解錠をしにくくすることができる。また、基準面２０２Ｓの位置およびフローティング部用ボール２４の直径を変更することによって（ピンタンブラ６や第２のタンブラ１２の変更によるキーコードの設定に加えて）更に多くのキーコードを設定でき、シリンダー錠１０の安全性を更に高めることができる。なお、繰り返しになるが、万一、フローティング部Ｆにおいて内筒２の回動の規制が解除状態となった場合であっても、ピンタンブラ６および第２のタンブラ１２の両者による内筒２の回動の規制が解除されない限り、内筒２は回動しない。
【００５４】
また、このような鍵２００では、これをモデルとして合鍵を複製しようとした場合であっても、フローティング部Ｆにおけるキー溝の形状をコピーできない。具体的には、ピンタンブラ７とドライバピン２８のシャーラインが内筒２と外筒１の間に位置する鍵２００の状態をコピーできない。つまりこの鍵２００は、基準面２０２Ｓに当接してボール２４の一部が鍵２００の上面から突出した状態でピンタンブラ７に接触する構成であるため、ピンタンブラ７の上端部が内筒２の外周面と一致するような位置をコピーできない。具体的には、倣い加工機のスタイラスを鍵２００に当てながら移動して倣い加工をした場合には、鍵２００の両面からボール２４の没入位置を倣うことになり、両面に凹部が形成される。従って、合い鍵を製作できず、切削加工したキー溝２０１，２０４のみを有する鍵（合い鍵を製作できる鍵）と比較して安全性を高めることができる。
【００５５】
＜施解錠動作＞
【００５６】
図６から図８を参照して、シリンダー錠１０の施解錠動作について説明する。図６は、施錠状態の図であり、図６（ａ）が図１に示すシリンダー錠１０の断面概要図であり、図６（ｂ）がシリンダー錠１０を第２の端部Ｔ２側から見た断面概要図である。また図７は、解錠状態の図であり、図７（ａ）が図１に示すシリンダー錠１０の断面概要図であり、図７（ｂ）がシリンダー錠１０を第２の端部Ｔ２側から見た断面概要図である。また、図８は適正な鍵２００を鍵穴２２に挿入した場合のシリンダー錠１０内部の構成を抜粋して示す斜視図であり、図８（ａ）が鍵２００の挿入方向に対して左上方から見た斜視図であり、図８（ｂ）が右下方（図８（ａ）の対角位置）から見た斜視図である。
【００５７】
図６（ａ）に示すように、施錠状態では、ドライバピン９がコイルスプリング１４によって径方向の内側に押され、内筒２と外筒１（破線で示す）の境界に跨がる。また、フローティング部Ｆにおいてもドライバピン２８がコイルスプリング１４によって径方向の内側に押され、内筒２と外筒１の境界に跨がる。
【００５８】
また、図６（ｂ）に示すように、第２のタンブラ１２はコイルスプリング１５によって内筒２の中心に向かって付勢され、複数の第２のタンブラ１２それぞれの係合溝１２ｂが内筒２の軸方向に沿って不揃いの状態（複数の第２のタンブラ１２の係合溝１２ｂがサイドバー３５の係合部３５ａの位置に揃わない状態）となっている。サイドバー３５の上方の一部は、内筒２の下方に設けられたサイドバー挿通孔１３５に進入し、係合溝１２ｂにサイドバー３５の係合部３５ａが係合しない。また、サイドバー３５は、サイドバー３５用のコイルスプリング１６によって内筒２側から外筒１側に向かって付勢され、ロック部３５ｂが外筒１の内壁に設けたロック部係合溝１ｂから後退できず、ロック部係合溝１ｂに係合した状態となっている。つまり、サイドバー３５は内筒２と外筒１に跨がった状態となっている。
【００５９】
このようにして第１のタンブラ１１（ピンタンブラ６，６'、７）および第２のタンブラ１２によって、内筒２の回動が規制される。
【００６０】
一方、図７および図８に示すように、適正な鍵２００を鍵穴２２に挿入すると、シリンダー錠１０が解錠される。なお、ここでは一例として、コンストラクション機能が作動している状態を示している。つまり図７において使用する鍵２００はコンストラクションキーである。これにより、各キー溝２０１にピンタンブラ６が没入し、キー溝２０３にコンストラクション用のピンタンブラ６'が没入し、フローティング部Ｆではボール孔２０２に埋め込まれたボール（不図示）にピンタンブラ７、８が当接する。また各キー溝２０４に第２のタンブラ１２の突起部１２ａが係合する。
【００６１】
図７（ａ）に示すように、各キー溝２０１に対応するピンタンブラ６が適正な量だけ没入すると、内筒２が回動することの障害となっていたドライバピン９が、ピンタンブラ６と共に径方向の外側に押し返される。これにより、ドライバピン９は、外筒１内に収まる。また、ピンタンブラ６は、内筒２内に収まったままになる。すなわち、ドライバピン９とピンタンブラ６の境界（シャーライン）が、外筒１と内筒２の境界と一致する。
【００６２】
同様に、キー溝２０３に対応するピンタンブラ６'が適正な量だけ没入すると、内筒２が回動することの障害となっていたドライバピン９が、ピンタンブラ６'と共に径方向の外側に押し返される。これにより、ドライバピン９は、外筒１内に収まる。また、ピンタンブラ６'とコンストラクション機能用の補助ピンであるボール１９は、内筒２内に収まったままになる。すなわち、ドライバピン９とボール１９の境界が、外筒１と内筒２の境界と一致する。
【００６３】
また、フローティング部Ｆにおいても、ピンタンブラ７と背面側のピンタンブラ８とがボール２４（ここでは不図示）と接触し、径方向の外側に押し返される。これにより、ピンタンブラ７とドライバピン２８のシャーラインが外筒１と内筒２の境界と一致する。
【００６４】
これに加えて、同図（ｂ）に示すように、鍵２００の各キー溝２０４に第２のタンブラ１２の突起部１２ａが係合し、第２のタンブラ１２が径方向の外側に適正な量だけ押し返される。これにより、各第２のタンブラ１２の係合溝１２ｂの位置が、キー溝２０４の深さに応じてそれぞれスライド移動し、第２のタンブラ１２のそれぞれの係合溝１２ｂの位置が内筒２の軸方向に沿って一列に揃う。これにより、内筒２が回動可能となる。そして内筒２が所定方向に僅かに回動されると、それに合わせてサイドバー３５が内筒２によって内側（中心方向）に押され、サイドバー３５の上方の一部は、内筒２の下方に設けられたサイドバー挿通孔１３５から内筒２側に更に進入し、棒状の係合部３５ａが各第２のタンブラ１２の係合溝１２ｂと係合する。これによりサイドバー３５のロック部３５ｂが外筒１のロック部係合溝１ｂから内筒２の内側に後退する。
【００６５】
このようにして、第１のタンブラ１１（ピンタンブラ６、６'、７）と、第２のタンブラ１２に係合するサイドバー３５によって内筒２の回転規制状態が解除されると、内筒２が外筒１に対して回動可能となる。そして鍵２００を挿入したまま一の方向（例えば、時計回りの方向）に回動すると、内筒２の第２の端部Ｔ２に連結されたカム３が内筒２の回動にともなって一の方向に回動し、扉が解錠される。
【００６６】
このように本実施形態のシリンダー錠１０は、第１の閂部材である第１のピンタンブラ１１を許容位置に移動させるとともに、第２の閂部材であるサイドバー３５を第２のタンブラ１２によって許容位置に移動させることで、内筒２の回動が許容される。
【００６７】
扉を施錠する際には、適正な鍵２００を挿入し、上述の如く第１のタンブラ１１および第２のタンブラ１２（サイドバー３５）による内筒２の回転規制状態を解除して、鍵２００を挿入したまま他の方向（例えば、反時計回りの方向）に回動する。これにより、内筒２の第２の端部Ｔ２に連結されたカム３が内筒２の回動にともなって他の方向に回動し、扉が施錠される。
【００６８】
なお、図示は省略するが、鍵穴２２に不正な鍵２００が挿入されると、その鍵２００によって、ピンタンブラ６、６'、７とドライバピン９、２８が、間違った量だけ径方向の外側に押し返される。押し返す量が少ない箇所については、ドライバピン９、２８が内筒２から外筒１にわたって位置したままで、内筒２が回動することの障害になる。また、押し返す量が多い箇所については、ピンタンブラ６、６'、７が内筒２から外筒１にわたって位置することになり、内筒２が回動することの障害になる。
【００６９】
また、鍵穴２２に不正な鍵２００が挿入されると第２のタンブラ１２が、間違った量だけ径方向の外側に押し返される。これにより、各第２のタンブラ１２の係合溝１２ｂは不規則に配置され（内筒２の軸方向に一列に揃わず）、サイドバー３５の係合部３５ａが係合できない状態となる。このため、サイドバー３５のロック部３５ｂが外筒１のロック部係合溝から後退することができず、内筒２が回動することの障害になる。
【００７０】
＜シリンダー錠１００の施解錠動作＞
【００７１】
次に、図９を参照して、図１に示すシリンダー錠１００の施解錠動作について説明する。図９は、シリンダー錠１０を構成する２つのシリンダー錠１０（第１シリンダー錠１０Ａおよび第２シリンダー錠１０Ｂ）の内筒２と、これらの連結部分を抽出して示す外観斜視図である。
【００７２】
図９（ａ）に示すように、第１シリンダー錠１０Ａの第２の端部Ｔ２には、止め輪３０（図２参照）を介して内筒２と係合する第１連結カム５１が設けられる。また、第２シリンダー錠１０Ｂの第２の端部Ｔ２も同様に止め輪３０（図２参照）を介して内筒２と係合する第２連結カム５２が設けられる。第１連結カム５１と第２連結カム５２は連結軸４によって結合され、止め輪３１で固定されている。また連結軸４の両端は、第１シリンダー錠１０Ａの内筒２および第２シリンダー錠１０Ｂの内筒２にそれぞれ連結する。
【００７３】
第１連結カム５１は短円柱形状の本体５１ａと、本体５１ａの外周面から半径方向の外側に向かって突出する２つの係合凸部５１ｂを有する。第１連結カム５１は、２つの係合凸部５１ｂが第１シリンダー錠１０Ａの内筒２の内側の係合凹部（不図示）と噛み合って、内筒２と係合する。そして第１連結カム５１は、内筒２に対してその長軸方向に沿う移動（摺動）が可能となっており、且つ、内筒２がその回転軸を中心に回転する場合はこれと一体的に回転する。
【００７４】
第２連結カム５２は第１連結カム５１と同様の構成であり、本体５２ａと、係合凸部５２ｂを有する。第２連結カム５２は、２つの係合凸部５２ｂが第２シリンダー錠１０Ｂの内筒２の内側の係合凹部（不図示）と噛み合って、内筒２と係合する。そして第２連結カム５２は、内筒２に対してその長軸方向に沿う移動（摺動）が可能となっており、且つ、内筒２がその回転軸を中心に回転する場合はこれと一体的に回転する。
【００７５】
そして、図９（ｂ）に示すように、第１連結カム５１および第２連結カム５２の当接面に跨る位置にカム３が設けられている。カム３は、第１連結カム５１および第２連結カム５２が摺動することによって、これらの一方と少なくとも係合可能である。
【００７６】
カム３は、略環状の連結部材係合部３ａと、その外周部分の一部を半径方向の外側に突出させた閂（不図示）の駆動部３ｂとからなる。連結部材係合部３ａの内周面は、第１連結カム５１および第２連結カム５２の外周面に沿う形状を有しており、両者と係合可能となっている。そして第１連結カム５１と第２連結カム５２は当接した状態で、カム３に対して、シリンダー錠１０の長軸方向に摺動可能となっている。つまりカム３は、第１連結カム５１と第２連結カム５２の摺動によって、第１連結カム５１のみと係合可能となり、第２連結カム５２とも係合可能となる。
【００７７】
例えば、第１連結カム５１と第２連結カム５２の境界線（当接面）が、内筒２の長手方向におけるカム３の中心を超えて第１シリンダー錠１０Ａ側に位置する場合に、第２連結カム５２がカム３と係合する。また、第１連結カム５１と第２連結カム５２の境界線（当接面）がカム３の中心を超えて、第２シリンダー錠１０Ｂ側に位置する場合に、第１連結カム５１がカム３と係合する。しかし境界線（当接面）は、カム３の中心を超えなくてもよく、境界線（当接面）の移動によって、カム３と係合する第１連結カム５１と第２連結カム５２とが切り替えられる構成であればよい。
【００７８】
そして、カム３が第１連結カム５１と係合した場合は、第１シリンダー錠１０Ａの内筒２の回転に応じて回転し、カム３が第２連結カム５２と係合した場合は、第２シリンダー錠１０Ｂの内筒２の回転に応じて回転する。
【００７９】
これにより、シリンダー錠１０の内筒の回転を閂に伝達して閂を移動させ、それによりシリンダー錠１０が設けられた扉体等の施解錠を行う。
【００８０】
＜コンストラクション機能の解除状態＞
【００８１】
次に、図１０を参照してコンストラクション機能の解除状態について説明する。同図（ａ）はコンストラクション機能解除時のシリンダー錠１０の断面図であり、同図（ｂ）はコンストラクション機能解除後のシリンダー錠１０の断面図である。
【００８２】
コンストラクション機能が作動中は、図７（ａ）に示すようにコンスキー２００を用いて施解錠を行う。既述のように、コンスキー２００のキー溝２０３にピンタンブラ６'が没入すると、補助ピンであるボール１９とドライバピン９の境界が内筒２と外筒１の間に位置する。
【００８３】
一方、コンストラクション機能を解除する場合には、図１０（ａ）に示すように鍵穴２２に子鍵２００'を挿入する。子鍵２００'のキー溝２０３は、コンスキー２００のキー溝２０３より浅く、それ以外の構成はコンスキー２００と同一である。これによりコンスキー２００を用いた場合と比較して、コンストラクション用のピンタンブラ６'のみ、外周方向への押し戻し量が多くなり、同図に示すようにボール１９が内筒２の外側に押し戻される。つまり、ボール１９とピンタンブラ６'の境界が内筒２と外筒１の間に位置する。これによりボール１９が外筒１に収容された状態で、内筒２が外筒１に対して回動可能となる。
【００８４】
ところで、内筒２の外周面の一部には不図示のボール収容部が設けられている。ボール収容部は、内筒２の外周面に設けた凹部であり、同図（ａ）の状態から内筒２を外筒１に対して所定方向（例えば、時計回りの方向）に所定角度回動させた場合に、ボール１９の位置（例えば、内筒２外周の鉛直方向の最上部（１２時）の位置）に移動するように設けられている。つまり、子鍵２００'を用いて内筒２を所定角度回動させると、ボール収容部が回動し、そこにボール１９が収容される。そしてそれ以降は、収容された状態が維持される。
【００８５】
その後、同図（ｂ）に示すように、コンストラクション用のピンタンブラ６'はボール１９を介在させることなくドライバピン９と結合する。つまりコンストラクション機能を解除した後は、子鍵２００'を鍵穴２２に挿入することでピンタンブラ６' とドライバピン９のシャーラインが内筒２と外筒１の間（境界）に位置する。
【００８６】
なお、本実施形態では、同じ構成のシリンダー錠の端部同士を連結し、室内側と室外側の両側から、キーによる施解錠動作を行うシリンダー錠を例に説明したが、シリンダー錠は、シリンダー錠１０Ａ（１０Ｂ）を単体で用いるものであってもよい。
【００８７】
また、上記の実施形態では、第１のタンブラ１１の移動（可動）方向（ピンタンブラの軸方向）と、第２のタンブラ１２の移動（可動）方向（円柱状のタンブラの軸方向）が両者の軸のなす角度が略９０度）の場合を例に説明したが、第１のタンブラ１１と第２のタンブラ１２の移動方向（両者の軸）のなす角度が例えば３０度や４５度となるように、両タンブラを配置してもよい。
【００８８】
また、第２のタンブラ１２は上述の構成に限らず、板状のディスクタンブラであってもよく、ディスクタンブラに一体的に設けた係合部（ロック部）が、外筒１のロック部係合溝に係合する構成であってもよい。
【産業上の利用可能性】
【００８９】
本発明に係るシリンダー錠は、住居、店舗あるいは事務所等の錠前として適用することができる。
【符号の説明】
【００９０】
１０、１００    シリンダー錠
１０Ａ          第１シリンダー錠
１０Ｂ          第２シリンダー錠
１    外筒
２    内筒
２２  鍵穴
６    ピンタンブラ
１１  第１のタンブラ
１２  第２のタンブラ
２００  鍵
【図１】
2016044438.tif 000003
【図２】
2016044438.tif 000004
【図３】
2016044438.tif 000005
【図４】
2016044438.tif 000006
【図５】
2016044438.tif 000007
【図６】
2016044438.tif 000008
【図７】
2016044438.tif 000009
【図８】
2016044438.tif 000010
【図９】
2016044438.tif 000011
【図１０】
2016044438.tif 000012